(57)【要約】  ギターは、底面および側面を有するボディと、トップとを備える。トップの外周は、側面の上側リムに取り付けられ、トップの上面は、トップを実質的にドーム形状に曲げることにより張力がかかり、トップの厚さは、中央部分より、外周の領域の方が薄く、それによって外周の領域内のトップの上面内の張力を低減する。
2021503622.tif 000002
【特許請求の範囲】
【請求項１】
ギターであって、
底面および側面を有するボディと、
トップであって、前記トップの外周は、前記側面の上側リムに取り付けられる、トップと、
前記ボディから延びるネックとを備え、
前記トップの上面は、前記トップを実質的にドーム形状に曲げることによって張力がかかり、前記トップの厚さは、中央部分より、前記外周の領域内の方が薄く、それによって前記外周の前記領域内の前記トップの前記上面内の張力を低減する、ギター。
【請求項２】
前記トップを前記ボディに取り付けた後、前記トップの前記上面から材料を除去することにより、前記トップは、前記外周の前記領域内で薄くなる、請求項１に記載のギター。
【請求項３】
前記ボディが、その底面から上方に延びるブリッジ支持体を含み、前記ブリッジ支持体の上面は、前記側面の前記上側リムの上方を延びる、請求項２に記載のギター。
【請求項４】
前記ボディの内部に形成された空洞をさらに含み、前記ブリッジ支持体が、前記空洞から延びる、請求項３に記載のギター。
【請求項５】
前記側面の前記上側リムが、リムの内縁がその外縁よりも高くなるようにテーパにされる、請求項１に記載のギター。
【請求項６】
前記ブリッジ支持体の前記上面が、前記側面の前記テーパにされたリムを補完するドーム形状プロファイルを形成する、請求項５に記載のギター。
【請求項７】
前記側面の前記上側リムおよび前記ブリッジ支持体の前記上面が、前記ボディのいずれかの側またはいずれかの端部から見たときにドーム形状プロファイルを形成する、請求項６に記載のギター。
【請求項８】
前記トップ上に設置され、前記ブリッジ支持体に固定されたブリッジアセンブリであって、サドルを含む、ブリッジアセンブリをさらに含む、請求項１に記載のギター。
【請求項９】
ギターを組み立てる方法であって、
実質的に平坦なトップを提供することと、
内部に空洞を有するボディを提供することであって、前記ボディは、
周囲を延びる側面であって、上側リムを有し、前記リムは、前記リムの内縁がその外縁よりも高くなるようにテーパにされる、側面と、
前記空洞内に形成されたブリッジ支持体であって、前記ブリッジ支持体の上面、および前記側面の前記上側リムは、前記ボディのいずれかの側またはいずれかの端から見たときにドーム形状プロファイルを形成する、ブリッジ支持体と、を有する、提供することと、
前記トップの上面が、前記ブリッジの前記上面および前記側面の前記テーパにされたリムの結果としてドーム形状をとるように前記ボディ上に前記トップを設置することと、
前記ボディの前記側面への前記トップの取付け領域内で前記トップの前記上面から材料を除去することとを含み、
前記トップの前記上面は、その中央に第１の張力を有し、その周囲に第２のより低い張力を有する、方法。
【請求項１０】
材料が、回転カッタを使用して除去される、請求項９に記載の方法。
【請求項１１】
材料が、サンディングによって除去される、請求項１０に記載の方法。
【請求項１２】
前記トップが、前記ボディと前記トップとの間の接触領域間で接着剤を使用して前記ボディ上に保持される、請求項８に記載の方法。
【請求項１３】
接触領域は、前記トップの前記外周の下面と、前記側面の前記リムとを含む、請求項１２に記載の方法。
【請求項１４】
ギターであって、
ボディであって、底面と、側面と、トップと、前記ボディの内部に形成された空洞と、前記空洞内に形成されたブリッジ支持体とを有する、ボディと、
前記ボディから延びるネックと、
少なくとも２つのアンカーボルトによって前記トップに取り付けられたブリッジであって、前記アンカーボルトは、前記トップを通って延び、前記ボルトの外面と前記ブリッジ支持体の内面との間のねじ連結によって前記ブリッジ支持体内に固定される、ブリッジとを備える、ギター。
【請求項１５】
各アンカーボルトと前記ブリッジ支持体の前記内面との間に配設されたレシーバをさらに含み、インサートは、前記アンカーボルトとのねじ連結用の内ねじと、前記ブリッジ支持体とのねじ連結用の外ねじとを有する、請求項１４に記載のギター。
【請求項１６】
前記レシーバが、金属インサートである、請求項１５に記載のギター。
【請求項１７】
前記アンカーボルトを固定する前記ブリッジ支持体の材料が、第１のより硬い材料であり、前記ブリッジ支持体の材料の残りが、第２のより軟質の材料である、請求項１５に記載のギター。
【請求項１８】
ギターであって、
ボディであって、底面と、側面と、トップと、前記ボディの内部に形成された空洞と、前記空洞内に形成されたブリッジ支持体とを有する、ボディと、
前記ボディから延び、遠位端にヘッドストックを備えたネックと、
少なくとも２つのアンカーボルトで前記トップに取り付けられたブリッジアセンブリであって、前記ブリッジは、その上に配設されたサドルであって、前記ヘッドストックに向かう方向および離れる方向に前記ブリッジに対して調整可能である、サドルを有する、ブリッジアセンブリとを備える、ギター。
【請求項１９】
前記サドルが２つの調整スロットを含み、前記ブリッジが、前記サドルの場所がそのそれぞれのスロット内の各調整部材の場所によって決定されることを可能にするように前記スロット内に配設された２つのねじ付き調整部材を有する、請求項１８に記載のギター。
【請求項２０】
前記調整スロットがそれぞれ、開放端および閉鎖端を有する、請求項１９に記載のギター。
【請求項２１】
前記スロットおよび調整部材が、前記サドルの各端部が前記ブリッジに対して独立的に調整可能であることを可能にする、請求項１９に記載のギター。
【発明の詳細な説明】
【技術分野】
【０００１】
本明細書で説明する実施形態は、一般にギターに関する。より具体的には、本発明は、楽器によって生成される音の様相が、ギターのトップの可変量の張力によってチューニングされるギターに関する。１つの実施形態では、変化は、ギタートップ内に張力を作りだし、次いで、対応する剛性の変化を有するギタートップの可変量の厚さを提供することによってもたらされる。別の態様では、本発明は、ギターのブリッジをそのボディに固定するための装置および方法に関する。さらに別の態様では、本発明は、ブリッジ自体に対するギターブリッジのサドル部分の場所を調整するための調整手段に関する。
【背景技術】
【０００２】
エレキギターまたはアコースティックギターのトップは、ギターの弦を弾くことによって生成される音質に主に影響を与える。振動する弦の動作は、弦が固定され、張力がかかる構造によって大きく左右される。構造が剛性になるほど、構造は振動に強くなる。振動に強い構造は、弦のエネルギーをほとんど吸収せず、弦が長時間振動し続けることを可能にする。剛性の支持構造およびそれに対応して弦の振動がより長く続くこの特性は、楽器の長く続く楽音上にはっきりと現れる。この品質は、そのような楽器を演奏するミュージシャンにとって有益である。
【０００３】
剛性の支持構造の欠点は、振動に付与された制限が、弦の振動を共鳴させ、これを可聴ボリュームに変換する構造の能力に直接影響を与えることである。ボリュームは、振動の振幅で測定される。ボリュームは、楽器が弦の振動を増幅するために必要である。これは、エレキギターのようにギターの音量を電気的に増幅する場合にも当てはまる。楽器の支持構造が柔軟であるほど、生成される楽音の振幅または潜在的なボリュームが高くなる。
【０００４】
弦を支持する構造の２つの考慮事項間に直接的な対立が存在する。すなわち、長時間持続する振動に必要な剛性と、振動振幅の形で可聴ボリュームを生成するために必要な柔軟性との間の対立である。従来、楽器は、剛性と柔軟性のバランスをとって、サステイン（ｓｕｓｔａｉｎ）およびボリュームの両方を備えた楽器になるように構造化される。
【０００５】
アコースティックギターの場合、ブレーシングがギターのトップの下面に使用されて、特定の領域内に硬度を作りだす。エレキギターは、ボディの内部の内部スペースがはるかに小さいため、ギタートップの下面の構造的ブレーシングは適さない。必要なのは、トップの所定の領域に張力を作りだすことにより、エレキギターのサウンドを調整する方法である。さらに、ボディに弦を固定するためにブリッジアセンブリを含むエレキギターのトップに構成要素をより効果的かつ簡単に取り付けること、および振動が停止され、可能にされる弦の長さを変更するためにブリッジアセンブリのサドル部分を簡単に調整することを可能にすることが必要とされる。
【発明の概要】
【０００６】
本開示は、概して、ギターであって、底面および側面を備えたボディと、ボディに取り付けられたトップとを備えたボディを有し、トップの上面は、トップを実質的にドーム形状に曲げることによって張力がかかり、トップの厚さは、中央部分より、トップの外周の領域内の方が薄く、それによって外周の領域内のトップの上面内の張力を低減する、ギターを含む。
【０００７】
本開示の上記の特徴を詳細に理解することができるように、上記で簡潔に要約した本開示のより具体的な説明は、いくつかが添付の図面に示される実施形態を参照することによって得られ得る。ただし、付属の図は本開示の典型的な実施形態のみを示し、したがって、その範囲を限定するものと見なされものではなく、開示のために、他の同等の効果的な実施形態が認められ得る。
【図面の簡単な説明】
【０００８】
【図１】本発明のいくつかの態様を含むエレキギターの上面図である。
【図２】ギターボディおよび分離したギターのトップの斜視図である。
【図３】図２のギターボディの上面図である。
【図４】ギターボディおよびトップの側面図である。
【図５】ギターボディおよびトップの端面図である。
【図６】図４のギターボディおよびトップの断面図である。
【図７】図５のギターボディおよびトップの別の断面図である。
【図８】ギターボディに取り付けた後のギタートップを示す断面端面図である。
【図９】図８の断面端面図であり、トップの外周から除去された材料を示し、また、ギターボディ内に形成されたブリッジ支持体に固定されたブリッジアセンブリも示す。
【図１０】ギタートップの変形を示す拡大断面図である。
【図１１】アンカーボルトでブリッジ支持体に固定されたブリッジアセンブリのブリッジ部分を示す、ギターボディおよびトップの拡大断面図である。
【図１２】アンカーボルトを受け入れるためにブリッジ支持体内で利用される別個の材料片を示す、ギターボディおよびトップの拡大断面図である。
【図１３】サドル部分の調整手段を示す、ギターのブリッジアセンブリの上面図である。
【図１４】サドルがブリッジに対して異なる位置に調整されている、図１５の上面図である。
【発明を実施するための形態】
【０００９】
本発明は、ギタートップを含むギターの構成要素ならびにギターブリッジアセンブリおよびその調整に関する。より具体的に、本発明は、所定の領域のギタートップの厚さを変更して、それらの領域の剛性に影響を与えることにより、エレキギターをチューニングする新規の方法に関する。さらに、他の実施形態は、ブリッジアセンブリを固定する新規の方法、およびブリッジのサドル部材を調整するためのより効果的な方法の提供に関する。好ましい実施形態の図および説明はエレキギターに関するものであるが、本発明の態様は、アコースティックギターまたは音質を向上させるトップを利用する他の弦楽器と共に利用する場合にも等しく価値があり得ることが理解されよう。
【００１０】
図１は、本発明のいくつかの態様を含むエレキギター１００の上面図である。ギターは、トップ１１５を有するボディ１１０と、一端においてボディに取り付けられたネック１２０と、ネックの反対側の端に形成されたヘッドストック１２５とを含む。弦（典型的には６本）１３０は、ギタートップ１１５上に配置されたブリッジ１３５からヘッドストック上に配置されたチューニングペグ１４０まで、ギターの長さにわたっている。弦は、ヘッドストック端のナット１４５と反対側の端のブリッジ１３５上に配置されたサドル１５０との間に懸架される。ネック１２０は、その長さに沿ってフレット１５５を備えており、弦１３０の振動長さのいずれかまたはすべてを、それらのピッチを変更するために本質的に短くすることを可能にする。ギターはエレキギターであるため、ピックアップ１６０と、トーンおよびボリュームコントロール１６５が含まれる。
【００１１】
図２は、トップ１１５が取り外されたギターボディ１１０の斜視図である。図示の例では、ギターは、ボディの内部内に形成された空洞１７０と、空洞を部分的に埋めているブリッジ支持体１７５とを有する、部分的に中実のギターである。異なる木材のような異なる材料であってもよいトップ１１５は、通常、その下縁１８５において、接着剤（図示せず）でボディ１１０の上側リム１８０に取り付けられる。図４および５は、ギターボディ１１０およびトップ１１５の側面図および端面図それぞれである。各図において、ブリッジ支持体１７５と共にトップの上面および下縁１８５ならびに下縁１８５を受け入れるボディ１１０の上側リム１８０が見える。
【００１２】
図６および７は、図３の６−６および７−７から取られた図４および５のギターボディ１１０およびトップ１１５の断面図であり、ブリッジ支持体１７５ならびに各部品の様々な表面を示す。図示の実施形態では、上側リム１８０およびブリッジ支持体１７５の上面は、凸状プロファイルを形成し、凸状プロファイルは、トップ１１５がボディ上に設置されたときにトップ１１５の下面上に対応する凹面形状を作りだす。各図のボディの凸状プロファイルの存在により、トップがボディ上に設置されたときに実質的にドーム形状にされることが確実にされる。
【００１３】
図８は、ギターの弦１３０（図示せず）の方向に垂直な断面図であり、ボディの上側リム１８０およびボディの下部の縁１８５に沿ってボディ１１０に取り付けられた後のギタートップ１１５を示す。図示するように、トップ１１５の上面は、ボディ１１０およびブリッジ支持体１７５の上面の凸状プロファイルに対応する凸状プロファイル２００になるように付勢され、各端において、通常は木材用の接着剤でボディの対応する縁１８０に取り付けられている。１つの例では、トップは、乾燥中にドーム形状位置にクランプされる。取付け後のトップの凸状プロファイル２００に加えて、元のプロファイル２０１が、点線で示される。
【００１４】
図９は、図８の断面図であるが、トップの元のプロファイル２０１および取付け後のプロファイル２００を点線で示すことに加えて、材料がトップ１１５の外周から除去された後の、結果として、ボディ１１０への取付け領域内のトップの厚さが低減されている、プロファイル２１０が示される。材料を除去する主な理由は、ドーム形状に曲げられたときに作りだされたトップの張力を低減するためである。図９には、図１に見えるブリッジ１３５も示され、これは、ボディに弦を固定するために使用される。図示の実施形態のブリッジは、ブリッジ部分３００と、調整ねじ３２０でブリッジに取り付けられた調整可能なサドル３１０と、ボディ内に形成されたブリッジ支持体１７５にブリッジを固定するために使用されるアンカーボルト３３０とを含むアセンブリである。実際には、ブリッジ３００は、典型的には、トップ１１５がギターボディ１１０に取り付けられた後に設置され、ブリッジ支持体１７５に固定される。
【００１５】
図１０は、ドーム形状に付勢され、ボディ１１０への取付け領域の厚さを低減した結果、トップ１１５内の応力によって引き起こされたギタートップ１１５の変形を示す、拡大されたより詳細な断面図である。この例では、材料除去後のプロファイル２１０は、その厚さが低減した結果、上向きに偏向された部分を含む。元の偏向されていない部分が、点線２１０ａで示される。
【００１６】
トップが設置され、材料が取り除かれると、トップは、その上面に張力または応力がかかり、その下面に圧縮またはひずみが生じる。トップは１軸ではなく多軸のドーム形状に「曲がっている」ため、これらの応力は、何度も拡大され、その結果、トップ全体にいくらかの量の張力が生じる。
【００１７】
１つの実施形態では、トップは、ボディ１１０の上側リム１８０およびブリッジ支持体１７５の上面によって作りだされた凸状プロファイルを使用して、ドーム形状に曲げられ、次いで、所定の場所に接着される。接着剤が乾くと、トップの周囲を、通常はボディへの取付け領域内で薄くすることができる。材料は、サンディングによって、または好ましい実施形態では、フライス加工およびカッタを用い、その後サンディングによって除去することができる。別の実施形態では、材料は、ハンドサンディングによって除去される。図示し、論じる実施形態では、元のトップ１１５は、本質的に均一な厚さを有する平面部材である。しかし、本明細書に説明するように、トップを最初にややドーム形状にすることができ、上面に沿って凸状プロファイルを有するボディに設置することによりこの初期形状をさらに強化できることが理解されよう。同様に、トップ１１５は最初、可変の厚さのものであることができ、次いで、ボディ上に設置した後、その厚さを周囲周りでさらに低減させることができる。さらに、好ましい実施形態は、設置中にトップの曲がりを容易にする、ギターボディ１１０の空洞１７０内に形成されたブリッジ支持体１７５を想定している。本発明は、トップを曲げるためのガイドとして機能するブリッジ支持体なしで実施することができる。また、トップ１１５は、設置後に完成した形状にされると説明されているが、異なるボディの長さおよび幅により、ドーム形状のトップは、球状でなくてもよいが、通常は、弦に平行に走る方向にやや細長くなる。
【００１８】
図１１は、２つのアンカーボルト３３０のうちの１つでブリッジ支持体１７５に固定されたブリッジ３００を示すギターボディおよびトップの断面図である。図示の実施形態では、各ボルト３３０は、内径３３６および外径３３８上に形成されたねじ山を有するインサートであるレシーバ３３５によって保持される。レシーバ３３５は、アンカーボルト３３０に伝達されるブリッジ３００の弦張力から受ける応力の下で変形に抵抗する材料であるという理由で、通常、金属鋼、ステンレス鋼、真鍮、または場合によってはアルミニウムで形成される。１つの例では、レシーバ３３５は、ギタートップ１１５およびブリッジ支持体１７５の予めタップされた雌ねじ３４０にねじ込まれる。その後、レシーバが所定場所にある状態で、アンカーボルト３３０は、ねじ込み式に挿入される。レシーバ上部とブリッジ３００の下面との間の調整ナット３４２は、ブリッジとその上のサドル３１０との相対的な高さを、ギタートップ１１５に対してユーザーが調整することを可能にする。従来技術の構成では、アンカーボルトおよび任意のレシーバタイプのデバイスは、ねじ切りされていない。むしろ、レシーバの長さを走る外方向に延びる長手方向の隆起部または縦溝が、レシーバが軸方向に駆動された後、レシーバをブリッジ支持体内に固定する役割を果たす。この配置により、ボルトをヘッドストックの方向に付勢する張力のかかった弦の力によってボルトが時間と共に前方に傾くことがよくある。本明細書に開示する新規の実施形態は、インサートとトップおよびブリッジ支持体の材料との間のねじ係合を使用するため、経時的に故障する可能性が低い、より堅牢で頑丈なアセンブリを結果としてもたらす。
【００１９】
図１２は、図１１のようなギターボディおよびトップの断面図である。しかし、図１２では、アンカーボルト３３０を受け入れるために、別個の異なる部片であるアンカー材料１７６がブリッジ支持体１７５内で利用されている。アンカー材料をブリッジ支持体の残りの部分から分離することにより、アンカー材料をその強度について選択することが可能であり、支持体の残りの部分を異なる、より音響的に望ましい材料にすることが可能である。１つの実施形態では、ブリッジ支持体１７５内に空洞が形成され、アンカーボルトを受け入れるための材料１７６が、挿入され、トップ１１５がギターボディに設置される前に所定の場所に接着される。例えば、ボルトを受け入れるための材料１７６は、これらの木材が相対的に堅いという理由で選択されたカエデ、ローズウッド、またはエボニーであることができるが、メインのブリッジ支持体１７５の材料は、マホガニー、アルダー、アッシュ、またはトウヒのようにより軟質でより軽量であってもよい。
【００２０】
図１３および１４は、ブリッジアセンブリおよびピックアップ１６０を示すギター１００の一部分の上面図である。この図は、図１０〜１２に見えるブリッジアセンブリの同じ構成要素の一部を示す。特に、これらの図は、ギタートップ１１５に対するサドル３１０の位置を調整するための新規の配置を示す。本明細書で説明するように、振動し、鳴らすことが可能にされるギター弦の長さは、ギターのヘッドストック端のナットと、ブリッジ端にあるサドルとの間に懸架される部分である。従来技術の１つの配置では、ギターのサドルは、これが取り付けられたブリッジを調整することによって調整される。別の従来技術の配置では、サドルは独立して調整できるが、特定の締結具にアクセスするためにブリッジアセンブリ全体を取り外すことによってのみ調整することができる。図示の実施形態では、サドル３１０は、調整ねじ３２０でブリッジ３００上に調整可能に装着され、調整ねじ３２０はそれぞれ、サドル３１０の各端に形成されたスロット３５５内に装着される。ねじおよびスロットは、ギターのヘッドストックに向かう、またはこれから離れるサドルの調整を可能にするように構築および配置されており、それによってサドルとナットの間に支持され、弾いたときに振動することを可能にする弦の長さを増減する。いずれの場合も、サドル調整は、ブリッジの場所を妨げることなく行われる。
【００２１】
例えば、図１３では、ねじ３２０は両方とも、それらのそれぞれのスロット３５５の閉鎖端に着座しており、その結果、振動のために利用可能な弦の長さは相対的に短い。図１４は、ブリッジ３００に対するサドル３１０の１つの可能な調整を示す。この例では、サドルの右側の調整ねじが緩められ、サドルの右側が基本的に時計回りに回転され、締め直されている間、サドル３１０の左側はそのスロット３５５内の元の位置に留まり、それによってサドルの右側の位置は変更され、サドルの右側と左側との間に距離３５１および角度３５２を作りだす。図１４の配置の結果、振動に利用できる大径の弦の長さは、小径の弦と比べてより長くなる。スロット３５５は開放端および閉鎖端を有するものとして図に示しているが、開放端は必要ではなく、これは、閉鎖スロットがスロット３５５内のサドルおよびねじ３２０の所望の移動を依然として可能にできるためである。
【００２２】
上記は本開示の実施形態に向けられているが、本開示の他のさらなる実施形態は、その基本的な範囲から逸脱することなく考案されてもよく、その範囲は、後続の請求項によって決定される。
【図１】
2021503622.tif 000003
【図２】
2021503622.tif 000004
【図３】
2021503622.tif 000005
【図４】
2021503622.tif 000006
【図５】
2021503622.tif 000007
【図６】
2021503622.tif 000008
【図７】
2021503622.tif 000009
【図８】
2021503622.tif 000010
【図９】
2021503622.tif 000011
【図１０】
2021503622.tif 000012
【図１１】
2021503622.tif 000013
【図１２】
2021503622.tif 000014
【図１３】
2021503622.tif 000015
【図１４】
2021503622.tif 000016
【国際調査報告】
2021503622.tif 000017
2021503622.tif 000018
2021503622.tif 000019
2021503622.tif 000020
2021503622.tif 000021